(57)【要約】  本発明はゴルフパッティング練習器に関し、それはシャフトとヘッドを持つパターのための保持器（３）、保持器を湾曲した移動経路で案内するための手段（２，３３，３４，３５）、及びパターヘッドを保持器の移動方向に垂直な位置に保持するための手段（２４，３０，３１）を含む。この発明によればゴルフパッティング練習器は保持器（３）の移動経路の曲率を垂直及び水平の両方で調整するための手段（８，９）を含む。
2005515860.tif 000002
【特許請求の範囲】
【請求項１】
ゴルフパッティング練習器であって、シャフトとヘッドを持つパターのための保持器（３）、保持器を湾曲した移動経路で案内するための手段（２，３３，３４，３５）、及びパターヘッドを保持器の移動方向に垂直な位置に保持するための手段（２４，３０，３１）を含むのものにおいて、保持器（３）の移動経路の曲率を垂直及び水平の両方で調整するための手段（８，９）を具備することを特徴とするゴルフパッティング練習器。
【請求項２】
保持器を案内するための手段がフレーム（４，５，６）により支持された二つの平行な長い案内レール（２）を含み、これらのレールがそれらの前及び後端で及びそれらの間の点（７）でフレームに取り付けられていることを特徴とする請求項１に記載のゴルフパッティング練習器。
【請求項３】
案内レールの両端の垂直及び水平位置を調整するための手段（８，９）を具備することを特徴とする請求項２に記載のゴルフパッティング練習器。
【請求項４】
案内レール（２）の両端の垂直及び水平位置を調整するための手段（８，９）が案内レールが常に互いに対して平行であるように同期して前または後端を動かすように配置されていることを特徴とする請求項３に記載のゴルフパッティング練習器。
【請求項５】
保持器（３）を案内するための手段（２，３３，３４，３５）がパターシャフトの軸周りの及び二つの平行なレール（２）を含む面からの回転を防ぐための手段（３３，３４，３５）を含むことを特徴とする請求項１，２，３または４に記載のゴルフパッティング練習器。
【請求項６】
保持器（３）を案内するための手段がレール（２）の表面上を走るローラー（３３，３４，３５）を含み、更に互いに関して垂直及び水平に変位されている少なくとも二つのローラー（３３，３４，３５）が各レール（２）と組み合わされていることを特徴とする請求項５に記載のゴルフパッティング練習器。
【請求項７】
各レールがその長さに沿って走る溝を含み、その溝の中で保持器から突出したローラーが案内されることを特徴とする請求項５に記載のゴルフパッティング練習器。
【請求項８】
保持器（３）に取り付けられ、レール（２）を含む面に平行な面内に設けられた鏡（３７）を具備することを特徴とする請求項１−７のいずれか一つに記載のゴルフパッティング練習器。
【請求項９】
保持器（３）が長いレール（２）に垂直な垂直壁（２４）及びパターヘッドのストローク面を前記壁に取り外し可能に取り付けるための手段（３０，３１）を含み、前記壁がスウィートスポットを含むパターヘッドの部分のための開口（２９）を含むことを特徴とする請求項１−８のいずれか一つに記載のゴルフパッティング練習器。
【請求項１０】
パターが保持器（３′）に一体化されていることを特徴とする請求項１−８のいずれか一つに記載のゴルフパッティング練習器。
【発明の詳細な説明】
【技術分野】
【０００１】
本発明はシャフトとヘッドを持つパターのための保持器、この保持器を湾曲した移動経路で案内するための手段、及びパターヘッドを保持器の移動方向に垂直な位置に保持するための手段を含むゴルフパッティング練習器に関する。
【発明の背景】
【０００２】
ゴルフラウンドにおいてストロークの約４５％はパッティングストロークである。従ってうまいゴルファーであるためにはうまくパットするのが必須である。
【０００３】
正しいパッティングスイングではパターのヘッドはボールがヒットされるときパッティングラインに対して垂直である。もしヘッドがパッティングラインに対して垂直でなければボールはスピンしパッティングラインから遠ざかるように動くであろう。しかしゴルフグリーンはめったに全体的に水平ではなく、これは重力がボールの経路に影響を与えることを意味する。そういうわけで、パッティングストロークを行う人はボールの経路が重力による影響のみのためかどうかまたはスピンがまた影響したがどうかを決定するのに従って困難性を持つであろう。
【０００４】
従って正しいパッティングスイングが習得できるゴルフパッティング練習器に対する要求がある。
【０００５】
幾つかのゴルフパッティング練習器が既知である。ＪＰ２０００３００７０９Ａはかかる練習器を開示し、そこではパターヘッドが案内レールに沿って移動でき、ヘッドが垂直軸周りにある程度回転できる。この練習器は正しくないパッティングスイングが行われたかどうかを使用者に感知させると言われている。ＪＰ６１２６０１０Ａはパターのための保持器が弓状レールにより案内されるかかる練習器を開示する。
【０００６】
本発明の目的は改良されたゴルフパッティング練習器を提供することであり、そこではパターが垂直にかつ水平に湾曲する経路で動かされ、この練習器を使用者の身長と体格に適合させるためにこの経路の曲率が調整可能である。
【発明の概要】
【０００７】
この発明の目的はシャフトとヘッドを持つパターのための保持器、この保持器を湾曲した移動経路で案内するための手段、及びパターヘッドを保持器の移動方向に垂直な位置に保持するための手段を含み、保持器の移動経路の曲率を垂直及び水平の両方で調整するための手段を具備することを特徴とするゴルフパッティング練習器により達成される。この曲率を調整する可能性により、パターは練習器を用いる個人に対し正しいパッティングスイング運動に追従させることができる。
【０００８】
好適実施例において、保持器を案内するための手段はフレームにより支持された二つの平行な長い案内レールを含み、このレールはそれらの前端と後端及びそれらの間の点でフレームに取り付けられている。更に、練習器は案内レールが常に互いに対して平行であるように前端または後端を同期して動かすように配置された案内レールの両端の垂直及び水平位置を調整するための手段を持つ。保持器を案内するための手段はパターシャフトの軸周りの及び二つの平行レールを含む面からの保持器の回転を防ぐための手段を含む。
【０００９】
第一代替例において、保持器を案内するための手段はレールの表面上を走るローラーを含み、そこでは互いに関して垂直及び水平に変位されている少なくとも二つのローラーが各レールと組み合わされている。
【００１０】
第二代替例において、各レールはその長さに沿って走る溝を含み、その中で保持器から突出するローラーが案内される。
【００１１】
有利には、鏡が保持器に取り付けられ、レールを含む面に平行な面内に設けられる。
【００１２】
第一実施例において、保持器は長いレールに垂直な垂直壁とこの壁にパターヘッドのストローク面を取り外し可能に取り付けるための手段とを含み、前記壁はパターヘッドのスウィートスポットを含むパターヘッドの部分のための開口を含む。
【００１３】
この発明の第二実施例において、パターは保持器に一体化される。
【００１４】
図面の簡略説明
この発明が添付された図面に関して今や説明されるであろう。図面において；
【００１５】
図１はこの発明の第一好適実施例によるゴルフパッティング練習器の概略透視図を示し、
【００１６】
図２は図１の練習器のフレームの一端部を示し、
【００１７】
図３は図２の線ＩＩＩ−ＩＩＩに沿った断面を示し、
【００１８】
図４は図１の練習器のパターのための保持器の正面図を示し、
【００１９】
図５は図４の線Ｖ−Ｖに沿った断面を示し、
【００２０】
図６は図４の保持器の上からの図を示し、
【００２１】
図７は図４の保持器の透視図を示し、そして
【００２２】
図８は第二実施例による保持器の透視図を示す。
【発明を実施するための最良の形態】
【００２３】
第一好適実施例によるゴルフパッティング練習器が図１−７に示されている。この練習器は保持器３のための二つの平行な長い案内レール２を支持するためのフレーム１を含み、この保持器内にパターが取り外し可能に取り付けられることができる。フレーム１は二つの平行な長いビーム４等と直立端部、すなわち前端部５と後端部６を含み、端部５，６はビーム４の前端と後端に取り付けられている。各案内レール２はビームの中間点７で隣接ビーム４に取り付けられており、レール端はフレーム１の前及び後端部５，６に垂直及び水平方向に可動であるように配置された調整装置８，９により支持されている。図示の例ではレールは円形断面を持つチューブの形を持つが、チューブはもちろん方形または長方形断面のような他の断面を持つことができる。更に、レールは中空である必要はなく棒からなることもできる。
【００２４】
図２と３において後端部６に配置された調整装置９が開示されている。調整装置９は横断的に延びる棒１０を含み、その両端は後端部６の垂直に延びる側方ビーム１２に設けられた垂直スロット１１内でビーム４の長手方向に垂直な垂直面内でスライド可能である。この棒は後端部６の側方ビーム１２の内側に接触する下向きのフランジ１４を持つ横断横木１３に回転可能に支持されている。横木１３はその中間に後端部６の上部交叉ビーム１７に回転可能に支持されているねじ付きボルト１６と共働するナット１５を備えている。ボルト１６のヘッド１８を反対方向に回転することにより横木１３及びそれにより棒１０はスロット１１内を上向き及び下向きに動かされることができる。
【００２５】
調整装置９はまた、レール２の両後端を調整装置に取り付けるための二つの取り付け棒１９を含む。これらの取り付け棒の両後端は取り付け棒１９の後端部の穴２０を通って走る横断棒１０により支持されている。取り付け棒１９の両後端部はまた、タップ２１に穴２０に垂直な穴を含む。これらのタップ２１は横断棒１０の通過のために穴２０に対応する穴とタップ２１の取り付けのためのねじ付き穴を持つ套管２２に取り付けられる。横断棒１０は少なくとも部分的にねじ山が付されており、タップの下側は棒１０のねじ山と共働するねじ山を含む。棒１０の両外端はヘッド２３を備えている。これらのヘッド２３を回転することにより取り付け棒１９は横方向に前後に動かされることができる。穴２０は棒１０に関して取り付け棒１９の角度的変位を可能とするために外向きの底部を持つダブルコーンの形を持つ。レール２の両後端部は取り付け棒１９にスライド可能に取り付けられる。
【００２６】
レール２の両前端のための調整装置８はレール２の両後端のための調整装置９と同じ方式で構成されており、更に説明される必要がない。
【００２７】
図４−７はパターのための保持器３の第一好適実施例を示す。保持器３は前壁２４、後壁２５、二つの側壁２６，２７及び底壁２８を含む。前壁２４は開口２９を持ち、そこにパターヘッドの中央部が置かれる。弾性素子３０が前壁の開口２９の両側に底壁２８から上向きに突出しており、各素子３０と共働するベルクロ（登録商標）バンドのような自動錠止バンド３１が前壁に取り付けられており、この素子を下向きに押圧するように操作されることができる。それにより素子３０間に置かれたパターヘッドが前壁に対して押圧されているそのストローク面と底壁２８に対して押圧されたその底面とを持って保持器３に取り付けられることができる。弾性素子３０は例えば金属片であることができる。底壁に素子３０を受け入れるための二列の開口３２が配置されており、従って、これらの素子の位置が保持器に取り付けられるパターヘッドの形式に適合させられることができる。
【００２８】
保持器の側壁２６，２７にローラー３３，３４及び３５が配置されており、保持器がレール２を含む面内で回転しまたはその面から動き出ることを不可能とするようにレール２と共働する。これはローラー３４，３５をローラー３３から垂直及び長手方向の両方に変位することにより達成される。
【００２９】
説明されたパッティング練習器は次の方式で機能する。
【００３０】
第一に、練習器はこの練習器を使用する個人に適合される。長身の個人に対してはスイングの半径はもし同じパッティンググリップを使用するとすれば短身の個人に対するより大きい。これは短身の個人に対してはレール２の両端が長身の個人に対してより高くなければならないことを意味する。レール２の両端はまた、横向きに、すなわち長手方向に関して横方向に調整可能である。しかし、水平面内のスイングの半径の差は垂直面内の半径の差に対してよりかなり小さい。
【００３１】
練習器がそれを使用する個人に対して適合された後、保持器に取り付けられたパターのヘッドは常に正しい移動経路に追従し、パッティングライン、すなわちレール２の長手方向に平行なラインに垂直な位置でボールをヒットする。正しいパッティングストロークによりボールがヒットされるとき、パターのヘッドはわずかに地面の上にあるべきである。これはその移動時の最下方位置では保持器の底はほとんど地面に触れるべきであることを意味する。従って、レール２はそれらの取り付け点７とその前方及び後方側のある距離内はフレームのビーム４の高さ範囲内に置かれる。レール２のレール２に垂直な方向の移動を可能とするために、レールはビームから引き離されており、図１で見られるように間隔素子３６を介してそれに取り付けられている。
【００３２】
かくして保持器３に取り付けられたパターは常に正しいパッティングストロークを実行するであろう。練習器を使用する全ての個人がなさねばならないことはパターのシャフトをグリップし、スイングし、パターの動きに追従することである。それにより正しいパッティングストロークが運動筋肉学習により習得されるであろう。
【００３３】
保持器３は有利にはパターのスウィートスポットの位置を表すその中間にマークを持つ水平に配置された鏡３７も備えている。これは使用者に対して彼／彼女の眼がボールの真っ直ぐ上にあることをチェックすること（それは目的のために必須である）を可能とする。練習器がボールと一緒に用いられるとき、ボールはビーム４の取り付け点７間のラインの中間に置かれるべきである。
【００３４】
図８にはパッティング練習器の第二実施例による保持器３′が概略的に示されている。第二実施例によるパッティング練習器は図１−７によるパッティング練習器とはパターが保持器に一体化されていること及び側壁が第一実施例のような三つのローラーの代わりに二つのローラー３３′，３４′を支持するのみであることだけが異なる。その他はこの練習器は図１−７による練習器と同じ方式で構成されており、更に説明される必要がない。保持器３′に一体化されたパターは前壁２４′から突出するシャフト３８を持ち、それにより前壁がパターヘッドを構成する。
【００３５】
説明された実施例はもちろんこの発明の範囲を離れることなしに幾つかの方式で修正されることができる。例えば、レールはその長さに沿って溝を持つことができ、その中でローラーが案内される。更に、弾性把持装置または他の手段がパターヘッドを保持器に取り付けるために用いられることができる。取り付け棒はダブルコーンの形を持つ穴の代わりに自在継手の助けによりまたは曲げられる材料から作られることにより角度的に変位可能とされることができる。取り付け棒は棒である必要はなく、レールの両端部上にまたは両端部中に適合するチューブであることができる。保持器の底壁は開示された実施例におけるような板の代わりに一つまたは幾つかの横木からなることができる。調整装置は説明された装置とは異なることができ、例えばフレームの前及び後端部は全体として横方向に動くことができ、それにより両レール端の横向きの移動を達成することができ、前及び後端部の側方ビームは二つの入れ子式部分から作られることができる。この発明の範囲は従って特許請求の範囲の内容によってのみ限定されるべきである。
【図面の簡単な説明】
【００３６】
【図１】この発明の第一好適実施例によるゴルフパッティング練習器の概略透視図を示す。
【図２】図１の練習器のフレームの一端部を示す。
【図３】図２の線ＩＩＩ−ＩＩＩに沿った断面を示す。
【図４】図１の練習器のパターのための保持器の正面図を示す。
【図５】図４の線Ｖ−Ｖに沿った断面を示す。
【図６】図４の保持器の上からの図を示す。
【図７】図４の保持器の透視図を示す。
【図８】第二実施例による保持器の透視図を示す。
【図１】
2005515860.tif 000003
【図２】
2005515860.tif 000004
【図３】
2005515860.tif 000005
【図４】
2005515860.tif 000006
【図５】
2005515860.tif 000007
【図６】
2005515860.tif 000008
【図７】
2005515860.tif 000009
【図８】
2005515860.tif 000010
【国際調査報告】
2005515860.tif 000011
2005515860.tif 000012
2005515860.tif 000013